(57)【要約】      （修正有）【課題】シャッターに同期させ、効果音や音声を再生させ、同時にストロボを発光させ、被写体の注意をカメラに向かせることができる装置を提供する。【解決手段】カメラのストロボ取付部に装着またはシンクロ接点端子に接続することにより、あらかじめ録音回路により録音しメモリーに保存された音データを、再生回路によりシャッターボタンと同期して聴覚可能な音量に拡声再生し、複数の音データが保存されている場合は、順またはランダムに、またはどれかひとつを選んで再生する。あるいはシャッターボタンと同期している信号を発光回路にも送りストロボを発光させ、聴覚と視覚により認識させる。録音時に無音時間を作ることにより、発光と再生のタイミングを意図的にずらし、被写体の注意をよりカメラに向かせてもよい。【選択図】図２
0003215718.tif 000002
【実用新案登録請求の範囲】
【請求項１】
カメラのシンクロ接点付ストロボ取付部に装着またはシンクロ接点端子に接続し、あらかじめ録音回路で使用者によって録音しメモリーに保存された音データを、シャッターボタンと同期している信号をシンクロ接点から検知することによって、再生回路の再生スイッチを入れ、メモリーに保存された音データを、被写体が聴覚可能な音量に拡声再生し、複数の音データが保存されている場合は、順またはランダムに、またはどれかひとつを選んで拡声再生し、被写体の聴覚に認識させる装置。
【請求項２】
上述１に加え、シャッターボタンと同期している信号をシンクロ接点から検知することによって、再生回路と同時に発光回路の発光スイッチも入れ、再生と同時にストロボを発光させ、被写体の聴覚と視覚にも認識させる装置。
【請求項３】
上述２に加え、録音時に無音録音時間を作ることにより、発光と拡声再生のタイミングを意図的にずらし、被写体に音と光のタイミングの時間差によりカメラに注意を向かせる装置。
【考案の詳細な説明】
【技術分野】
【０００１】本考案は、カメラに装着し録音再生機能を組み合わせ、被写体の注意をカメラに向かせる、撮影補助装置に関する物である。
【背景技術】
【０００２】カメラの電子化が進み、シャッター音が静音化または無音化してきた。
【先行技術文献】
【０００３】
【特許文献１】
【０００４】
【非特許文献１】ソニー  α７−２  α７Ｒ−２  ２０１７カタログ、パナソニック  ＬＵＭＩＸ  ＧＭ１Ｓ  ＬＵＭＩＸ  Ｇ７  ＬＵＭＩＸ  ＧＸ８  ２０１７カタログ、オリンパス  ＯＭ−Ｄ  Ｅ−Ｍ５−２  ２０１７カタログ  各カタログのサイレントモードの記述
【考案の概要】
【考案が解決しようとする課題】
【０００５】カメラの静音化無音化により、人物撮影において、被写体はいつシャッターボタンを押され撮影されたのか気付くのが困難になってきた。近年スマートフォンの無音カメラなど隠し撮り的な撮影が横行しているが、人物撮影というのは撮影者と被写体のコミュニケーションにおいて成り立っていて、被写体の注意をカメラに向けたい。ストロボを装着すれば撮影のタイミングを発光により伝えることもできるが、ストロボを発光させたくない撮影もある。従って、カメラに装着された本装置から、被写体の注意をカメラに向かせるための音、または音と光の組み合わせを発生させることによって、問題を解決しようとするものである。
【課題を解決するための手段】
【０００６】本考案は、カメラのストロボ取付部に装着またはシンクロ接点端子に接続することにより、あらかじめ録音回路によって使用者により録音しメモリーに保存された音データを、取付部にあるシンクロ接点からシャッターボタンと同期している信号を検知することにより再生回路の再生スイッチを入れ、メモリーに保存された音を、被写体が聴覚可能な音量に拡声再生し、複数の音データが保存されている場合は、順にまたはランダムに、またはどれかひとつを選んで拡声再生し、シャッターボタンを押したタイミングを被写体に聴覚により認識させ、あるいはシャッターボタンと同期している信号を発光回路にも送りストロボ発光させ、聴覚と視覚により認識させ、あるいは、録音時に無音時間を作ることにより、発光と拡声再生のタイミングを意図的にずらし、被写体に音と光のタイミングのズレによっても注意を惹かせ、被写体の注意をよりカメラに向かせることで問題点を解決している。
【考案の効果】
【０００７】上述の様に、カメラに装着させる拡声機機能を持った録音再生発光装置は、被写体に、音と、音と光の組み合わせと、音と光のタイミングのズレによって、カメラに注意を向かせることができ、無音カメラの様にいつ撮られたのかわからないことがなくなり、注意力散漫になりやすい幼児や園児、小学生などの子どもが入る人物撮影において、カメラに目線が集まり、撮影者の撮影意思表示となり、撮影が被写体と撮影者のコミュニケーションになり、表情豊かな写真を残すことに役立つ。
【図面の簡単な説明】
【０００８】
【図１】本考案の発光部なしの構成図である
【図２】本考案の発光部ありの構成図である
【考案を実施するための形態】
【０００９】カメラ上部のストロボ取付部に本装置を装着し、カメラのシャッターボタンと同期させるため、ストロボ取付部のシンクロ接点またはシンクロ接点端子から同期信号を検出し、拡声再生装置の再生、発光部の発光、または拡声再生と発光を同時に行う。再生される音は、あらかじめ録音部から録音された音データをメモリーに保存しこれを再生する。複数の音データが保存された場合は、順に、またはランダムに、またはどれかひとつを選んで拡声再生される。メモリーに保存されているデータは音声や効果音など自分で録音できる。
【実施例】
【００１０】以下、添付図面に従って一実施例を説明する。
図１は、本考案の発光部なしの構成図である。
１のトリガー回路はカメラのシンクロ接点付ストロボ取付部に取付け、またはシンクロコードにてシンクロ接点端子と接続し、カメラからシャッターボタンの同期信号を検出し、再生回路ＯＮ信号を送る。
信号を受けた再生回路はメモリーに保存させているデータを拡声再生させる。メモリーに保存されているデータは録音回路を使い、音声や効果音など自分で録音できる。
図２は、本考案の発光部ありの構成図である
前述同様に取付または接続し、カメラからシャッターボタンの同期信号を検出し、再生回路とストロボ発光回路の両方にＯＮ信号を送る。信号を受けた再生回路はメモリーに保存させているデータを再生させ、同時に信号を受けた発光回路は発光する。
【符号の説明】
【００１１】１  トリガー回路
２  再生回路
３  録音回路
４  音データメモリー
５  スピーカー
６  発光回路
７  発光部
８  カメラアクセサリーシュー接点
９  シンクロ接点端子
【図１】
0003215718.tif 000003
【図２】
0003215718.tif 000004
【手続補正書】
【提出日】平成29年10月12日(2017.10.12)
【手続補正１】
【補正対象書類名】実用新案登録請求の範囲
【補正対象項目名】全文
【補正方法】変更
【補正の内容】
【実用新案登録請求の範囲】
【請求項１】
カメラのシンクロ接点付ストロボ取付部に装着またはシンクロ接点端子に接続し、あらかじめ録音回路で使用者によって録音しメモリーに保存された音データを、シャッターボタンと同期している信号をシンクロ接点から検知することによってシャッターと連動し、再生回路の再生スイッチを入れ、メモリーに保存された音データを、被写体が聴覚可能な音量に拡声再生し、複数の音データが保存されている場合は、順またはランダムに、またはどれかひとつを選んで拡声再生し、被写体の聴覚に認識させる装置。
【請求項２】
請求項１に記載の装置であって、シャッターボタンと同期している信号をシンクロ接点から検知することによってシャッターと連動し、再生回路と同時に発光回路の発光スイッチも入れ、再生と同時にストロボを発光させ、被写体の聴覚と視覚にも認識させる装置。
【請求項３】
請求項２に記載の装置であって、録音時に無音録音時間を作ることにより、シャッターと発光と拡声再生のタイミングを意図的にずらし、被写体に音と光のタイミングの時間差によりカメラに注意を向かせる装置。